(57)【特許請求の範囲】
【請求項１】
熱を発生する機能ユニットを熱伝導性の金属ケース内に収納した状態で装置の本体筐体内に収納した情報処理装置であって、
前記機能ユニットと前記金属ケースとの間に、その機能ユニットに対する衝撃を吸収する衝撃吸収手段を加圧された状態で設け、
かつ、前記機能ユニットと衝撃吸収手段との間および衝撃吸収手段と前記金属ケースとの間に、厚みが０．０１〜０．１ｍｍでＵ字形状に形成された銅フィルムからなる熱伝導手段の端部を挟み込んで密着配置したことを特徴とする機能ユニットの放熱緩衝構造を備えた情報処理装置。
【請求項２】
銅フィルムからなる熱伝導手段は衝撃吸収手段に溶着により固着されたものであることを特徴とする請求項１記載の機能ユニットの放熱緩衝構造を備えた情報処理装置。
【発明の詳細な説明】
【０００１】
【発明の属する技術分野】
本発明は、パーソナルコンピュータ等の情報処理装置に関し、詳しくは発熱を伴うとともに耐衝撃性をも要求される機能ユニットが収納される情報処理装置に関する。
【０００２】
【従来の技術】
従来、パーソナルコンピュータ等の情報処理装置では筐体内に外部記憶装置であるハードディスクドライブ（以下ＨＤＤと称する）などの複数の機能ユニットが収納されている。その中でも特にノートパソコンと呼ばれる携帯型の情報処理装置においては、衝撃に弱いディスクドライブ装置であるＨＤＤに対して、耐衝撃性を保つために緩衝構造がとられていた。
【０００３】
以下、従来の機能ユニットの緩衝構造を備えた情報処理装置について、図を用いて説明する。図４は情報処理装置の外観斜視図、図５はＨＤＤ収納ケースの断面図を示す。図において、１は情報処理装置本体筐体で、本体筐体１の内部に機能ユニットが収納される収納部１ａを備えている。２は機能ユニットの１つであるＨＤＤで、上ケース３ａと下ケース３ｂからなるステンレス等の剛性の高い金属ケース３内に完全に収納され、衝撃を吸収する材料、例えば、柔らかいエラストマーやスポンジ状のウレタンなどを材料とする衝撃吸収材４が金属ケース３とＨＤＤ２の間隙全体もしくは一部分に設けられていた。そして、ＨＤＤ２が収納された金属ケース３は情報処理装置の本体筐体１の収納部１ａに収納される。
【０００４】
以上のように構成された従来の情報処理装置について、携帯時などに情報処理装置が外部から衝撃を受けた場合、衝撃吸収材４が衝撃を吸収することによって、本体筐体１内の収納部１ａに収納されたＨＤＤ２には衝撃が伝わらない。
【０００５】
このように、ＨＤＤ２をはじめとする衝撃に弱いディスクドライブ装置を情報処理装置の本体筐体１内に収納する場合、衝撃吸収材を使用することが必要である。
【０００６】
【発明が解決しようとする課題】
しかし、同時にＨＤＤなどのディスクドライブ装置は動作時に熱を発生するため、ディスクドライブ装置自身や周囲の他の電子部品などに悪影響を及ぼすことを防止するため、その熱を外部に放出する必要があった。ところが、上記のような衝撃吸収材は熱伝導率が小さいため、ＨＤＤ２から発生する熱をうまく金属ケース３や、さらにその外部へ逃がすことができず、ＨＤＤ２の温度が高くなりすぎるという問題があった。これを解決するため、衝撃吸収材に金属フィラーなどを含有させて熱伝導率を高める方法もあるが、衝撃吸収材の硬度が高くなってしまうため、衝撃吸収効果が落ちてしまうという問題が新たに発生する。
【０００７】
本発明は、衝撃吸収性能を低下させることなく、筐体に収納された機能ユニットの放熱も行うことができる、機能ユニットの緩衝構造を備えた情報処理装置を提供することを目的とする。
【０００８】
【課題を解決するための手段】
この課題を解決するために本発明の機能ユニットの緩衝構造を備えた情報処理装置は、熱伝導性の金属ケースと機能ユニットの間に、衝撃吸収手段を挟んで熱伝導手段を配設するようにしたものである。
【０００９】
これにより、衝撃吸収性を保ちつつＨＤＤなどの機能ユニットの放熱性を高めることができる。
【００１０】
【発明の実施の形態】
本発明は、熱を発生する機能ユニットを熱伝導性の金属ケース内に収納した状態で装置の本体筐体内に収納した情報処理装置であって、前記機能ユニットと前記金属ケースとの間に、その機能ユニットに対する衝撃を吸収する衝撃吸収手段を加圧された状態で設け、かつ、前記機能ユニットと衝撃吸収手段との間および衝撃吸収手段と前記金属ケースとの間に、厚みが０．０１〜０．１ｍｍでＵ字形状に形成された銅フィルムからなる熱伝導手段の端部を挟み込んで密着配置した情報処理装置であり、機能ユニットの耐衝撃性を保ちつつ放熱性をも高めるという作用を有する。
【００１１】
本発明は、機能ユニットを収納する熱伝導性ケースと、前記機能ユニットとの間に衝撃吸収手段を挟んで熱伝導手段を配設し、前記熱伝導性ケースを情報処理装置筐体内に収納したことを特徴とするものであり、機能ユニットの耐衝撃性を保ちつつ機能ユニットを収納する熱伝導性ケースから外部に放熱が可能という作用を有する。
【００１２】
本発明は、情報処理装置筐体は熱伝導性材料からなることを特徴とするものであり、情報処理装置筐体から外部に放熱が可能という作用を有する。
【００１３】
また、本発明は、情報処理装置筐体を形成する材料はマグネシウム合金であることを特徴とするものであり、軽量で衝撃強度が強く熱伝導性を有するため、機能ユニットの耐衝撃性、放熱性が高められるという作用を有する。
【００１４】
本発明は、熱伝導手段はフレキシブルなシート状またはフィルム状または箔状の材料からなることを特徴とするものであり、緩衝構造に与える影響が少なく、機能ユニットの耐衝撃性を保ちつつ放熱も可能という作用を有する。
【００１５】
本発明は、熱伝導手段はＵ字形状に形成され、一端を機能ユニット、他の一端を情報処理装置筐体または熱伝導性ケースに密着接触させるようにしたものであり、機能ユニットおよび情報処理装置筐体または熱伝導性ケースとの接触面積を広く取ることができ、熱伝導量および放熱量が多くなるという作用を有する。
【００１６】
本発明は、熱伝導手段は鈍角の階段形状に形成され、一端を機能ユニット、他の一端を情報処理装置筐体または熱伝導性ケースに接触させるようにしたことを特徴とするものであり、緩衝構造に与える影響が少ないという作用を有する。
【００１７】
さらに、本発明は、熱伝導手段は衝撃吸収手段に溶着等の方法で固着されたものであることを特徴とするものであり、衝撃吸収手段と熱伝導手段を金属ケースや情報処理装置筐体に組み込む作業が容易になるとともに、緩衝性能、放熱性とも安定するという作用を有する。
【００１８】
また、本発明は、機能ユニットはディスクドライブ装置であることを特徴とするものであり、耐衝撃性を保ちつつ放熱も可能という効果を有効に利用できるという作用を有する。
【００１９】
本発明は、衝撃吸収手段として、エラストマー材料を用いたことを特徴とするものであり、緩衝性能が高く、本発明の効果を高めることができるという作用を有する。
【００２０】
以下、本発明の実施の形態について図１から図３を用いて説明する。
【００２１】
（実施の形態１）
図１は本発明の一実施の形態の情報処理装置に収納されるＨＤＤ収納ケースを示すもので、図１（ａ）は外観斜視図、図１（ｂ）は断面図である。図において、２は機能ユニットの１つであるＨＤＤで、上ケース３ａと下ケース３ｂからなるステンレス等の剛性の高い金属ケース３内に完全に収納され、衝撃を吸収する材料、例えば、柔らかいエラストマーを材料とする衝撃吸収材４が金属ケース３とＨＤＤ２の間隙全体もしくは一部分に設けられている。５は熱伝導率の高い銅フィルムで、Ｕ字形に曲げられ、ＨＤＤ２と衝撃吸収材４の間、および衝撃吸収材４と金属ケース３の上ケース３ａの間、若しくは衝撃吸収材４と金属ケース３の下ケース３ｂの間にはさみこまれるように配置されている。銅フィルム５の厚みは０．０１〜０．１ｍｍ（１０μｍ〜１００μｍ）程度である。
【００２２】
そして、ＨＤＤ２が収納された金属ケース３は情報処理装置の本体筐体の収納部（図示せず）に収納される。
【００２３】
以上のように構成された本発明の情報処理装置において、ＨＤＤ２の熱は、銅フィルム５を通して金属ケース３の上ケース３ａ若しくは下ケース３ｂに逃がされる。
【００２４】
このとき、銅フィルム５の厚みは（０．０１〜０．１ｍｍ程度）であるので、Ｕ字形の曲げによる応力は少なく、ＨＤＤ２の耐衝撃性にはほとんど影響を与えない。
【００２５】
また、衝撃吸収材４がＨＤＤ２と金属ケース３の上ケース３ａの間、および金属ケース３の下ケース３ｂの間で加圧され、銅フィルム５を金属ケース３の上ケース３ａ若しくは金属ケース３の下ケース３ｂで抑えこむため、銅フィルム５とＨＤＤ２、金属ケース３の上ケース３ａ若しくは下ケース３ｂとの密着度が増し、ＨＤＤ２から金属ケース３の上ケース３ａ若しくは下ケース３ｂへの伝熱性能が上がる。
【００２６】
また、銅フィルム５がＵ字形に曲げられているため、ＨＤＤ２、金属ケース３の上ケース３ａおよび下ケース３ｂとの接触面積が広く取れ、熱伝導量および放熱量が多い。
【００２７】
（実施の形態２）
図２は、本発明の第２の実施の形態の情報処理装置に収納されるＨＤＤ収納ケースを示すもので、図２（ａ）は外観斜視図、図２（ｂ）は断面図である。実施の形態１と同じ部品は同一の番号を付して説明を省略する。図において実施の形態１と異なるところは、銅フィルム６を鈍角の階段形状に曲げたところである。銅フィルム６は一端をＨＤＤ２と衝撃吸収材４の間、他の一端を衝撃吸収材４と金属ケース３の上ケース３ａの間、若しくは衝撃吸収材４と金属ケース３の下ケース３ｂの間にはさみこまれるように配置されている。
【００２８】
以上のように構成された本発明の第２の実施の形態の情報処理装置において、ＨＤＤ２の熱は、銅フィルム６を通して金属ケース３の上ケース３ａ若しくは下ケース３ｂに逃がされる。
【００２９】
このように構成すれば、情報処理装置が衝撃を受けたとき、銅フィルム６が鈍角の階段形状に曲げられているため、曲げによる応力は少なく、緩衝構造にはほとんど影響を与えず、ＨＤＤ２の耐衝撃性を保ちつつ放熱も可能となる。
【００３０】
（実施の形態３）
図３は、本発明の第３の実施の形態の情報処理装置に収納されるＨＤＤ収納ケースの断面図を示すもので、実施の形態１と同じ部品は同一の番号を付して説明を省略する。図において実施の形態１と異なるところは、銅フィルムを使用せず、銅箔としたところである。本実施の形態では、衝撃吸収材４に鍍金等の手段で数μの厚さの銅箔７が付着している。
【００３１】
このように構成すれば、情報処理装置が衝撃を受けたとき、銅箔７が非常に薄いため、銅箔による応力は少なく、緩衝構造にはほとんど影響を与えず、ＨＤＤ２の耐衝撃性を保ちつつ放熱も可能となる。
【００３２】
なお、これらの実施の形態では、伝熱体に銅フィルムを使用しているが、銅の代わりにアルミニウムやグラファイトなどの熱伝導率の高い材料を使用してもよい。
【００３３】
また、衝撃吸収材に柔らかいエラストマー材料を用いており、緩衝性能が高く、本発明の効果を高めることができるものであるが、衝撃吸収材はスポンジ状の発泡ウレタンや塩化ビニル等、衝撃を吸収する材料であってもよい。
【００３４】
さらに、ＨＤＤ２の上面から金属ケース３の上ケース３ａへの放熱、および、ＨＤＤ２の下面から金属ケース３の下ケース３ｂへの放熱の両方を実施しているが、片側のみからの放熱で、ＨＤＤ２の温度が仕様を満たす程度に十分低ければ、ＨＤＤ２の片側のみからの放熱対策でよいのは言うまでもない。
【００３５】
また、これらの実施の形態では、全て金属ケースから放熱するようにしたが、ノート型パソコン等の情報処理装置に組み込むとき、その情報処理装置の筐体がマグネシウム合金等の金属でできている場合やＨＤＤの近くに熱伝導率の高い材料が存在する場合、伝熱体の銅フィルムをこれらに直接接触させることにより、金属ケースを省略することができる。
【００３６】
また、実施の形態１および実施の形態２において、銅フィルムを衝撃吸収材に溶着等の手段で固着するようにすれば、ＨＤＤと衝撃吸収材を金属ケースや情報処理装置筐体に組み込む作業が容易になるとともに、緩衝性能、放熱性とも安定させることができる。
【００３７】
なお、これらの実施の形態では、情報処理装置に収納される機能ユニットとしてＨＤＤを例に上げたが、ディスクドライブ装置のように、衝撃に弱く、かつ発熱を伴う機能ユニットであれば本発明は有効である。
【００３８】
【発明の効果】
以上のように本発明によれば、熱伝導性の金属ケースと機能ユニットの間に、衝撃吸収手段を加圧された状態で設け、かつ、機能ユニットと衝撃吸収手段との間および衝撃吸収手段と金属ケースとの間に、厚みが０．０１〜０．１ｍｍでＵ字形状に形成された銅フィルムからなる熱伝導手段の端部を挟み込んで密着配置したことにより、薄い銅フィルムはＵ字形状の曲げによる応力が小さいため、衝撃吸収手段の衝撃吸収性能を低下させることがなく、このため、銅フィルムが緩衝構造に与える影響が少なく緩衝性能が高く保たれる。そして、Ｕ字形状に形成された銅フィルムは接触面積が広くとれることから、熱伝導量が大きく、かつ、その銅フィルムの端部を機能ユニットと衝撃吸収手段との間および衝撃吸収手段と金属ケースとの間に挟み込むようにしたため、機能ユニットおよび金属ケースとの密着度が増し、機能ユニットの衝撃吸収とともに良好な伝熱性能と放熱性能が得られる。
また、銅フィルムを衝撃吸収手段に固着することにより、衝撃吸収手段および銅フィルムを金属ケースに組み込む作業が容易になるという効果が得られる。
【図面の簡単な説明】
【図１】  本発明の一実施の形態の情報処理装置に収納されるＨＤＤ収納ケースの外観斜視図、および断面図
【図２】  本発明の第２の実施の形態の情報処理装置に収納されるＨＤＤ収納ケースの外観斜視図、および断面図
【図３】  本発明の第３の実施の形態の情報処理装置に収納されるＨＤＤ収納ケースの断面図
【図４】  情報処理装置の外観斜視図
【図５】  従来の収納ユニットの緩衝構造を備えた情報処理装置のＨＤＤ収納ケースの断面図
【符号の説明】
２  ＨＤＤ
３  金属ケース
３ａ  上ケース
３ｂ  下ケース
４  衝撃吸収材
５、６  銅フィルム
７  銅箔
【図１】
0004706125.tif 000002
【図２】
0004706125.tif 000003
【図３】
0004706125.tif 000004
【図４】
0004706125.tif 000005
【図５】
0004706125.tif 000006